(57)【特許請求の範囲】
【請求項１】
あらかじめ記録された道路状況及び車両の現在位置に基づいて、コーナに対して車両を減速させるコーナ制御を開始するための制御開始条件が成立したかどうかを判断する制御開始条件判断手段と、前記制御開始条件が成立した場合に前記コーナ制御を開始する制御開始手段と、道路データ及び現在位置によって決定され、コーナに対して車両を減速させる必要があるかどうかを表す状態に基づいて、前記コーナ制御を終了するための制御終了条件が成立したかどうかを判断する制御終了条件判断手段と、前記制御終了条件が成立した場合に前記コーナ制御を終了する制御終了手段と、前記コーナ制御が行われている間に、運転者による操作に基づいて運転者がコーナ制御を必要としていないと判断された場合、前記制御終了条件判断手段による判断結果にかかわらず、コーナ制御を解除するための制御解除条件が成立したかどうかを判断する制御解除条件判断手段とを有するとともに、前記制御終了条件は、基本の変速マップを参照することによって３速の変速段が決定されたこと、及びコーナ制御が開始された後、設定距離以上走行してもコーナ制御が終了されないことの、車両がコーナ制御を必要とする状態にないことを表す各条件のうちの少なくとも一つであり、前記制御解除条件判断手段は、運転者がオーバドライブスイッチをオフにして手動変速が発生したことの運転動作が認識されたことを表す条件が成立したかどうかを判断する手段、及び運転者がパワー走行モード、雪道走行モード、手動変速モード等を選択するためのモード選択スイッチをオンにしたことの運転動作が認識されたことを表す条件が成立したかどうかを判断する手段を備えるとともに、前記運転者がオーバドライブスイッチをオフにして手動変速が発生したことの運転動作が認識されたことを表す条件、及び運転者がパワー走行モード、雪道走行モード、手動変速モード等を選択するためのモード選択スイッチをオンにしたことの運転動作が認識されたことを表す条件のうちの少なくとも一つが成立したときに前記制御解除条件が成立したと判断することを特徴とする車両制御装置。
【請求項２】
あらかじめ記録された道路状況及び車両の現在位置に基づいて、コーナに対して車両を減速させるコーナ制御を開始するための制御開始条件が成立したかどうかを判断し、該制御開始条件が成立した場合に前記コーナ制御を開始し、道路データ及び現在位置によって決定され、コーナに対して車両を減速させる必要があるかどうかを表す状態に基づいて、前記コーナ制御を終了するための制御終了条件が成立したかどうかを判断し、該制御終了条件が成立した場合に前記コーナ制御を終了し、該コーナ制御が行われている間に、運転者による操作に基づいて運転者がコーナ制御を必要としていないと判断された場合、前記制御終了条件判断手段による判断結果にかかわらず、コーナ制御を解除するための制御解除条件が成立したかどうかを判断するとともに、前記制御終了条件は、基本の変速マップを参照することによって３速の変速段が決定されたこと、及びコーナ制御が開始された後、設定距離以上走行してもコーナ制御が終了されないことの、車両がコーナ制御を必要とする状態にないことを表す各条件のうちの少なくとも一つであり、前記制御解除条件は、運転者がオーバドライブスイッチをオフにして手動変速が発生したことの運転動作が認識されたことを表す条件が成立したかどうかが判断され、運転者がパワー走行モード、雪道走行モード、手動変速モード等を選択するためのモード選択スイッチをオンにしたことの運転動作が認識されたことを表す条件が成立したかどうかが判断され、運転者がオーバドライブスイッチをオフにして手動変速が発生したことの運転動作が認識されたことを表す条件、及び運転者がパワー走行モード、雪道走行モード、手動変速モード等を選択するためのモード選択スイッチをオンにしたことの運転動作が認識されたことを表す条件のうちの少なくとも一つが成立したときに成立したと判断されることを特徴とする車両制御装置のプログラムを記録した制御部による読取りが可能な記録媒体。
【発明の詳細な説明】
【０００１】
【発明の属する技術分野】
本発明は、車両制御装置及びそのプログラムを記録した記録媒体に関するものである。
【０００２】
【従来の技術】
従来、道路状況に対応させて車両各部の制御、例えば、走行制御を行うことができるようにした車両制御装置が提供されていて、例えば、車両がコーナに差し掛かると想定されると、前記走行制御としてのコーナ制御が行われるようになっている。
【０００３】
そのために、車両にナビゲーション装置が搭載され、該ナビゲーション装置が備えるデータ記憶部にノードデータファイルが配設され、該ノードデータファイルにノードデータが格納される。該ノードデータは、道路の位置及び形状を表す要素であり、道路上の各ノード、及び該各ノード間を連結するリンクを示すデータから成る。なお、前記ノードデータは、必要に応じて各ノードにおける道路の旋回角度を示すデータを備える。
【０００４】
そして、前記ナビゲーション装置のナビゲーション処理部は、前記ノードデータ及び他の所定のデータに基づいて演算を行い、制御用データを作成し、該制御用データに従って前記コーナ制御を行う。
図２は従来の車両制御装置におけるコーナ制御の説明図である。なお、図において、横軸に位置を、縦軸に車速及び曲率を採ってある。
【０００５】
図において、Ｌ１は実際の道路の曲率を示すライン、Ｎｄi （ｉ＝１、２、…）は、ノードデータファイルにおける車両の現在の位置、すなわち、現在位置を含む道路上の所定の範囲内の各ノードのうち、道路の曲率半径、すなわち、ノード半径が閾（しきい）値より小さい特定のノードであり、該各ノードＮｄi が存在することが分かると、コーナ制御が開始される。また、ＶRi（ｉ＝１、２、…）は、所定の推奨車速マップを参照することによって、前記ノードＮｄi に対応させて算出された推奨車速であり、該推奨車速ＶRiに向けて車両を減速させることができるように、変速許可制御用減速線Ｍが設定され、現在の車速Ｖnow が変速許可制御用減速線Ｍより上の領域に入る場合、すなわち、現在の車速Ｖnow が変速許可制御用減速線Ｍ上の値以上である場合に、所定の推奨変速段を決定するための推奨値が算出される。
【０００６】
このようにして、推奨値が算出されると、該推奨値及び運転者の所定の動作に基づいて上限の変速段が決定され、該上限の変速段のデータが自動変速機制御装置に送信される。したがって、該自動変速機制御装置は、前記上限の変速段より上の変速段（高速側の変速段、変速比の小さい変速段等）が選択されないように自動変速機の制御を行い、車両を走行させる。
【０００７】
その後、所定の制御終了条件が成立すると、前記コーナ制御は終了され、自動変速機制御装置は、基本の変速マップを参照して決定された変速段で変速を行う。
なお、前記制御終了条件として、例えば、コーナの旋回角度が最大になるノード、すなわち、ピーク点を通過してから所定時間が経過したこと、ピーク点を通過してから所定距離を走行したこと、車速が基準値より高くなったこと、旋回加速度が基準値より小さくなったこと等が採用される。
【０００８】
【発明が解決しようとする課題】
しかしながら、前記従来の車両制御装置においては、推奨値が算出されなくなった後も前記制御終了条件が成立するまではコーナ制御が行われることになるので、その間に、例えば、コーナ内に障害物があると、障害物を回避しようとして車両を減速させる。
【０００９】
その後、車両を加速しようとしたときに最適な変速段を選択することができない。
このように、制御終了条件が成立するまでの間に、運転者が通常のコーナ制御が行われているときの行為と異なる行為を取ったときに、最適な変速段を選択することができないので、運転者に違和感を与えてしまう。
【００１０】
本発明は、前記従来の車両制御装置の問題点を解決して、車両各部の制御の制御終了条件が成立するまでの間に、運転者が通常の制御が行われているときの行為と異なる行為を取ったときに、運転者に違和感を与えることがない車両制御装置及びそのプログラムを記録した記録媒体を提供することを目的とする。
【００１１】
【課題を解決するための手段】
そのために、本発明の車両制御装置においては、あらかじめ記録された道路状況及び車両の現在位置に基づいて、コーナに対して車両を減速させるコーナ制御を開始するための制御開始条件が成立したかどうかを判断する制御開始条件判断手段と、前記制御開始条件が成立した場合に前記コーナ制御を開始する制御開始手段と、道路データ及び現在位置によって決定され、コーナに対して車両を減速させる必要があるかどうかを表す状態に基づいて、前記コーナ制御を終了するための制御終了条件が成立したかどうかを判断する制御終了条件判断手段と、前記制御終了条件が成立した場合に前記コーナ制御を終了する制御終了手段と、前記コーナ制御が行われている間に、運転者による操作に基づいて運転者がコーナ制御を必要としていないと判断された場合、前記制御終了条件判断手段による判断結果にかかわらず、コーナ制御を解除するための制御解除条件が成立したかどうかを判断する制御解除条件判断手段とを有する。
そして、前記制御終了条件は、基本の変速マップを参照することによって３速の変速段が決定されたこと、及びコーナ制御が開始された後、設定距離以上走行してもコーナ制御が終了されないことの、車両がコーナ制御を必要とする状態にないことを表す各条件のうちの少なくとも一つである。
また、前記制御解除条件判断手段は、運転者がオーバドライブスイッチをオフにして手動変速が発生したことの運転動作が認識されたことを表す条件が成立したかどうかを判断する手段、及び運転者がパワー走行モード、雪道走行モード、手動変速モード等を選択するためのモード選択スイッチをオンにしたことの運転動作が認識されたことを表す条件が成立したかどうかを判断する手段を備えるとともに、前記運転者がオーバドライブスイッチをオフにして手動変速が発生したことの運転動作が認識されたことを表す条件、及び運転者がパワー走行モード、雪道走行モード、手動変速モード等を選択するためのモード選択スイッチをオンにしたことの運転動作が認識されたことを表す条件のうちの少なくとも一つが成立したときに前記制御解除条件が成立したと判断する。
【００１４】
本発明の記録媒体においては、あらかじめ記録された道路状況及び車両の現在位置に基づいて、コーナに対して車両を減速させるコーナ制御を開始するための制御開始条件が成立したかどうかを判断し、該制御開始条件が成立した場合に前記コーナ制御を開始し、道路データ及び現在位置によって決定され、コーナに対して車両を減速させる必要があるかどうかを表す状態に基づいて、前記コーナ制御を終了するための制御終了条件が成立したかどうかを判断し、該制御終了条件が成立した場合に前記コーナ制御を終了し、該コーナ制御が行われている間に、運転者による操作に基づいて運転者がコーナ制御を必要としていないと判断された場合、前記制御終了条件判断手段による判断結果にかかわらず、コーナ制御を解除するための制御解除条件が成立したかどうかを判断する。
そして、前記制御終了条件は、基本の変速マップを参照することによって３速の変速段が決定されたこと、及びコーナ制御が開始された後、設定距離以上走行してもコーナ制御が終了されないことの、車両がコーナ制御を必要とする状態にないことを表す各条件のうちの少なくとも一つである。
また、前記制御解除条件は、運転者がオーバドライブスイッチをオフにして手動変速が発生したことの運転動作が認識されたことを表す条件が成立したかどうかが判断され、運転者がパワー走行モード、雪道走行モード、手動変速モード等を選択するためのモード選択スイッチをオンにしたことの運転動作が認識されたことを表す条件が成立したかどうかが判断され、運転者がオーバドライブスイッチをオフにして手動変速が発生したことの運転動作が認識されたことを表す条件、及び運転者がパワー走行モード、雪道走行モード、手動変速モード等を選択するためのモード選択スイッチをオンにしたことの運転動作が認識されたことを表す条件のうちの少なくとも一つが成立したときに成立したと判断される。
【００１５】
【発明の実施の形態】
以下、本発明の実施の形態について図面を参照しながら詳細に説明する。
図１は本発明の実施の形態における車両制御装置の機能ブロック図である。
図において、１００は道路状況を検出する道路状況検出手段、１０２は前記道路状況に基づいて推奨値を算出する推奨値算出手段、１１１は制御終了条件が成立したかどうかを判断する制御終了条件判断手段、１１２は前記制御終了条件が成立したときに走行制御を終了する制御終了手段、１１３は制御解除条件が成立したかどうかを判断する制御解除条件判断手段、１１４は前記制御解除条件が成立したときに制御終了条件が成立したかどうかにかかわらず走行制御を解除する制御解除手段、２０３は前記推奨値に基づいて車両各部の制御を開始する制御開始手段としての制御手段である。
【００１６】
図３は本発明の実施の形態における車両制御装置の概略図、図４は本発明の実施の形態における推奨車速マップを示す図、図５は本発明の実施の形態における減速線マップを示す図である。なお、図４において、横軸にノード半径を、縦軸に推奨車速ＶR を、図５において、横軸に車両の位置を、縦軸に車速Ｖを採ってある。
【００１７】
図３において、１０は自動変速機（Ａ／Ｔ）、１１はエンジン（Ｅ／Ｇ）、１２は前記自動変速機１０の全体の制御を行う自動変速機制御装置（ＥＣＵ）、１３は前記エンジン１１の全体の制御を行うエンジン制御装置（ＥＦＩ）、１４はナビゲーション装置である。
また、４１はウインカセンサ、４２は運転者の動作を検出するアクセルセンサ、４３は運転者の動作を検出するブレーキセンサ、４４は車速センサ、４５はスロットル開度センサ、４６は記録媒体としてのＲＯＭ、４７は通常モードとナビモードとを選択するためのモード選択部である。
【００１８】
前記ナビゲーション装置１４は、現在位置を検出する現在位置検出部１５、ノードデータ、道路データ等が格納されたデータ記憶部１６、入力された情報に基づいて、ナビゲーション処理等の各種の演算処理を行うナビゲーション処理部１７、入力部３４、表示部３５、音声入力部３６、音声出力部３７及び通信部３８を有する。
【００１９】
そして、現在位置検出部１５は、ＧＰＳ（グローバルポジショニングセンサ）２１、地磁気センサ２２、距離センサ２３、ステアリングセンサ２４、ビーコンセンサ２５、ジャイロセンサ２６、図示されない高度計等から成る。
前記ＧＰＳ２１は、人工衛星によって発生させられた電波を受信して、地球上における現在位置を検出し、前記地磁気センサ２２は、地磁気を測定することによって車両が向いている方位を検出し、前記距離センサ２３は、道路上の所定の地点間の距離等を検出する。前記距離センサ２３としては、例えば、車輪の回転数を測定し、該回転数に基づいて距離を検出するもの、加速度を測定し、該加速度を２回積分して距離を検出するもの等を使用することができる。
【００２０】
また、前記ステアリングセンサ２４は、舵（だ）角を検出するためのものであり、例えば、図示されないステアリングホイールの回転部に取り付けられた光学的な回転センサ、回転抵抗センサ、車輪に取り付けられた角度センサ等が使用される。
そして、前記ビーコンセンサ２５は、道路に沿って配設されたビーコンからの位置情報を受信して現在位置を検出する。前記ジャイロセンサ２６は、車両の回転角速度を検出するものであり、ガスレートジャイロ、振動ジャイロ等が使用される。そして、前記ジャイロセンサ２６によって検出された回転角速度を積分することにより、車両が向いている方位を検出することができる。
【００２１】
なお、前記ＧＰＳ２１及びビーコンセンサ２５においては、それぞれ単独で現在位置を検出することができるが、距離センサ２３の場合は、該距離センサ２３によって検出された距離と、前記地磁気センサ２２及びジャイロセンサ２６によって検出された方位とを組み合わせることにより現在位置が検出される。また、距離センサ２３によって検出された距離と、ステアリングセンサ２４によって検出された舵角とを組み合わせることによって車両の位置を検出することもできる。
【００２２】
前記データ記憶部１６は、地図データファイル、交差点データファイル、ノードデータファイル、道路データファイル、写真データファイル、及び各地域のホテル、ガソリンスタンド、観光地案内等の各主地域ごとの情報が格納されたデータファイルを備える。これら各データファイルには、経路を検索するためのデータのほか、前記表示部３５の画面に、検索した経路に沿って案内図を表示したり、交差点又は経路における特徴的な写真、コマ図等を表示したり、次の交差点までの距離、次の交差点における進行方向等を表示したり、他の案内情報を表示したりするための各種のデータが格納される。なお、前記データ記憶部１６には、所定の情報を音声出力部３７によって出力するための各種のデータも格納される。
【００２３】
ところで、前記交差点データファイルには各交差点に関する交差点データが、ノードデータファイルにはノードに関するノードデータが、道路データファイルには道路に関する道路データがそれぞれ格納され、前記交差点データ、ノードデータ及び道路データによって道路状況が表される。なお、前記ノードデータは、前記地図データファイルに格納された地図データにおける道路の位置及び形状を表す要素であり、道路上の各ノード、及び該各ノード間を連結するリンクを示すデータから成る。そして、前記道路データによって、道路自体については、幅員、勾配（こうばい）、カント、バンク、路面の状態、道路の車線数、車線数の減少する地点、幅員の狭くなる地点等が、コーナについては、曲率半径、交差点、Ｔ字路、コーナの入口等が、道路属性については、踏切、高速道路出口ランプウェイ、高速道路の料金所、降坂路、登坂路、道路種別（国道、一般道、高速道等）等がそれぞれ表される。
【００２４】
また、前記ナビゲーション処理部１７は、ナビゲーション装置１４の全体の制御を行うＣＰＵ３１、該ＣＰＵ３１が各種の演算処理を行うに当たってワーキングメモリとして使用されるＲＡＭ３２、及び制御プログラムのほか、目的地までの経路の検索、経路中の走行案内、特定区間の決定等を行うための各種のプログラムが記録された記録媒体としてのＲＯＭ３３から成るとともに、前記ナビゲーション処理部１７に、前記入力部３４、表示部３５、音声入力部３６、音声出力部３７及び通信部３８が接続される。
【００２５】
なお、前記データ記憶部１６及びＲＯＭ３３は、図示されない磁気コア、半導体メモリ等によって構成される。また、前記データ記憶部１６及びＲＯＭ３３に代えて、磁気テープ、磁気ディスク、フロッピーディスク、磁気ドラム、ＣＤ、ＭＤ、ＤＶＤ、光ディスク、ＩＣカード、光カード等の各種の記録媒体を使用することもできる。
【００２６】
本実施の形態においては、前記ＲＯＭ３３に各種のプログラムが記録され、前記データ記憶部１６に各種のデータが格納されるようになっているが、各種のプログラム及び各種のデータを同じ外部の記録媒体に記録することもできる。この場合、例えば、前記ナビゲーション処理部１７に図示されないフラッシュメモリを配設し、前記外部の記録媒体から前記プログラム及びデータを読み出してフラッシュメモリに書き込むこともできる。したがって、外部の記録媒体を交換することによって前記プログラム及びデータを更新することができる。また、自動変速機制御装置１２の制御プログラム等を併せて前記外部の記録媒体に記録することもできる。このように、各種の記録媒体に記録された各種のプログラムを起動し、各種のデータに基づいて各種の処理を行うことができる。
【００２７】
さらに、前記通信部３８は、ＦＭ送信装置、電話回線等との間で各種のデータの送受信を行うためのものであり、例えば、図示されない情報センサ等によって受信した渋滞等の道路情報、交通事故情報、ＧＰＳ２１の検出誤差を検出するＤ−ＧＰＳ情報等の各種のデータを受信する。なお、本発明の機能を実現するためのプログラム及びデータの少なくとも一部を前記通信部３８によって受信し、フラッシュメモリ等に格納することもできる。
【００２８】
そして、前記入力部３４は、走行開始時の位置を修正したり、目的地を入力したりするためのものであり、表示部３５と別に配設されたキーボード、マウス、バーコードリーダ、ライトペン、遠隔操作用のリモートコントロール装置等を使用することができる。また、前記入力部３４は、表示部３５に画像で表示されたキー又はメニューにタッチすることにより、入力を行うタッチパネルによって構成することもできる。
【００２９】
そして、前記表示部３５には、操作案内、操作メニュー、操作キーの案内、目的地までの経路、走行する経路に沿った案内等が表示される。前記表示部３５としては、ＣＲＴディスプレイ、液晶ディスプレイ、プラズマディスプレイ、フロントガラスにホログラムを投影するホログラム装置等を使用することができる。そして、音声入力部３６は、図示されないマイクロホン等によって構成され、音声によって必要な情報を入力することができるようになっている。さらに、音声出力部３７は、それぞれ図示されない音声合成装置及びスピーカを備え、音声合成装置によって合成された音声による案内情報をスピーカから出力する。なお、音声合成装置によって合成された音声のほかに、各種の案内情報をテープに録音しておき、前記案内情報をスピーカから出力することもできる。
【００３０】
ところで、前記構成の車両制御装置において、自動変速機制御装置１２は、ＲＯＭ４６に記録された制御プログラムに従ってシフトアップ又はシフトダウンの変速を行う。
そして、運転者がモード選択部４７を操作することによって通常モードが選択されると、前記自動変速機制御装置１２は、前記車速センサ４４によって検出された車速Ｖ、及びスロットル開度センサ４５によって検出されたスロットル開度に基づいて、ＲＯＭ４６内の図示されない変速マップを参照し、前記車速Ｖ及びスロットル開度に対応する変速段を選択する。
【００３１】
また、運転者がモード選択部４７を操作することによってナビモードが選択されると、前記ナビゲーション処理部１７は、データ記憶部１６から所定の道路データを読み出し、変速段を制限するための制御内容を設定するとともに、該制御内容に対応させて制御推奨フラグを自動変速機制御装置１２に送信する。そして、自動変速機制御装置１２は、前記制御推奨フラグを受信し、図示されないアクセルペダルが緩められたこと等の所定の条件が満たされると、上限の変速段を決定し、該上限の変速段以上で変速を行わないようにする。なお、常時、前記ナビゲーション処理部１７によって、ナビモードが選択されたときと同様の処理を行うことができる。
【００３２】
次に、ナビモードが選択された場合の前記ナビゲーション処理部１７の動作について更に説明する。なお、本実施の形態においては、走行制御としてコーナ制御を行う場合について説明する。
まず、前記ＣＰＵ３１は、現在位置検出部１５によって検出された現在位置を読み込むとともに、データ記憶部１６の道路データファイルにアクセスし、前記現在位置より前方の位置の道路データを前記道路データファイルから読み出して、制御実施条件が成立しているかどうかを判断する。この場合、前記制御実施条件として、前記道路データが前記道路データファイル内に存在していること、フェール動作が発生していないこと等が設定される。
【００３３】
そして、前記制御実施条件が成立すると、前記ＣＰＵ３１は、道路形状判断処理を行い、道路形状を判断する。すなわち、ＣＰＵ３１の道路状況検出手段１００（図１）は、前記現在位置、及び該現在位置より前方の位置の道路データに基づいて、制御リストを作成し、現在位置を含む道路上の所定の範囲（例えば、現在位置から１〜２〔ｋｍ〕）内の各ノードごとに道路状況としての道路のノード半径を検出する。
【００３４】
なお、必要に応じて現在位置から目的地までの経路を検索し、検索した経路上のノードについてノード半径を検出することもできる。この場合、道路データに従って、各ノードの絶対座標、及び前記各ノードに隣接する二つのノードの各絶対座標に基づいて演算を行い、前記ノード半径を検出する。また、道路データとしてあらかじめデータ記憶部１６にノード半径を、例えば、各ノードに対応させて格納しておき、必要に応じて前記ノード半径を読み出すこともできる。
【００３５】
次に、ＣＰＵ３１は、前記所定の範囲内において前記ノード半径が閾値より小さいノードが検出されると、コーナ制御を必要とするコーナが有ると判定し、図４の推奨車速マップを参照して、前記ノード半径に対応する推奨車速ＶR を読み込む。なお、前記推奨車速マップにおいては、ノード半径が小さくなると推奨車速ＶR が低くされ、ノード半径が大きくなると推奨車速ＶR が高くされる。次に、ナビゲーション処理部１７は現在位置から各ノードまでの道路の勾配を算出する。
【００３６】
ところで、本実施の形態においては、車両がコーナに差し掛かると、現在位置からコーナに到達するまでに車速Ｖが前記推奨車速ＶR になるような減速が必要であると判断される。そこで、現在位置から所定の範囲内の各ノードのうちノード半径が閾値より小さい特定のノードＮｄi （ｉ＝１、２、…）が選択され、該各ノードＮｄi について推奨車速ＶRi（ｉ＝１、２、…）が算出され、該推奨車速ＶRiに基づいて推奨変速段が決定されるようになっている。
【００３７】
そのために、ＣＰＵ３１は、各ノードＮｄi について、現在の変速段を維持することが望ましいと考えられる閾値を表す減速加速度基準値α、及びこれ以上減速加速度（減速の度合い）が大きくなる場合は、変速段を３速以下にすることが望ましいと考えられる閾値を表す減速加速度基準値βを設定する。
前記各減速加速度基準値α、βは、道路の勾配も考慮して設定される。これは、平坦（たん）な道路において減速を行う場合と、登坂路又は降坂路において減速を行う場合とでは、同じ距離を走行させても減速加速度が異なるからである。例えば、登坂路において、運転者が車両を減速させようとした場合、積極的にシフトダウンの変速を行わなくても十分な減速を行うことができる。
【００３８】
また、前記各減速加速度基準値α、βを、道路の勾配に対応させて複数設定することもできる。そして、平坦な道路用として１組の減速加速度基準値α、βをあらかじめ設定しておき、道路の勾配に対応させて前記各減速加速度基準値α、βを補正することもできる。さらに、車両の総重量を算出し、例えば、乗員が１名である場合と４名である場合とで減速加速度基準値α、βを異ならせることもできる。この場合、車両の総重量は、例えば、特定の出力軸トルクを発生させたときの加速度に基づいて算出することができる。
【００３９】
続いて、ＣＰＵ３１は、現在位置から各ノードＮｄi までの区間距離Ｌを算出し、該区間距離Ｌ、前記推奨車速ＶR 及び前記減速加速度基準値αに基づいて、シフトアップの変速が行われるのを禁止するためのホールド制御用減速線Ｍｈを、区間距離Ｌ、前記推奨車速ＶR 及び減速加速度基準値βに基づいて、シフトダウンの変速を許可するための減速線、すなわち、変速許可制御用減速線Ｍｓをそれぞれ設定する。この場合、変速許可制御用減速線Ｍｓは、区間距離Ｌにおいてそれぞれ減速加速度基準値βで減速が行われた場合に、各ノードＮｄi を推奨車速ＶR で走行することができる車速Ｖの値を示す。
【００４０】
ところで、前記現在位置を現在位置検出部１５によって検出するようになっているので、検出された現在位置に検出誤差が生じると、検出された現在位置と実際の現在位置とが異なってしまう。その場合、減速加速度基準値βに基づいて前記変速許可制御用減速線Ｍｓを一律に設定すると、実際の道路状況に対応させてコーナ制御を行うことができなくなってしまう。
【００４１】
そこで、前記変速許可制御用減速線Ｍｓとは別に現在位置検出部１５の検出誤差を考慮に入れた変速許可制御用減速線Ｍ１を設定するようにしている。
この場合、該変速許可制御用減速線Ｍ１は、現在位置から前記ノードＮｄi に到達するまでの車速パターンを示す減速線部分ｍａ、及び該減速線部分ｍａに連続させて形成され、各ノードＮｄi から現在位置に近づく側に延びてノード幅を形成する調整部分ｍｃから成る。本実施の形態において、減速線部分ｍａは、変速許可制御用減速線Ｍ１より所定距離分、すなわち、調整部分ｍｃ分だけずらすことによって形成される。また、減速線部分ｍａを、変速許可制御用減速線Ｍｓより所定速度だけ低い値にすることによって形成することもできる。
【００４２】
そして、前記調整部分ｍｃの車速Ｖは、ノードＮｄi に対応する推奨車速ＶRiと等しく設定される。なお、前記調整部分ｍｃを、所定のノード幅を持たせて所定の車速パターンで設定することもできる。
また、前記調整部分ｍｃを、現在位置検出部１５による現在位置の検出精度に対応させて変更することもできる。例えば、検出精度が低い場合は、調整部分ｍｃが長く設定される。この場合、前記検出精度は、各種センサの検出状態、マッチング状態等の現在位置検出状態を評価し、評価結果に基づいて設定されるので、後述される第２の判定領域ＡＲ２が不必要に広くならない。したがって、一層実際の道路状況に対応させてコーナ制御を行うことができる。
【００４３】
そして、ホールド制御用減速線Ｍｈは、前記変速許可制御用減速線Ｍ１に対応させて、例えば、変速許可制御用減速線Ｍ１より１０〔ｋｍ／ｈ〕だけ低い値にされる。また、ホールド制御用減速線Ｍｈを変速許可制御用減速線Ｍ１より所定距離分だけずらすこともできる。そして、前記ホールド制御用減速線Ｍｈ及び変速許可制御用減速線Ｍｓ、Ｍ１はコーナ制御が終了するまで固定される。
【００４４】
なお、前記ホールド制御用減速線Ｍｈ及び変速許可制御用減速線Ｍｓは、いずれも演算することによって設定することができるだけでなく、演算結果をＲＯＭ３３にマップとして記録しておき、該マップを参照することによって設定することもできる。また、前記減速加速度基準値βのほかに、これ以上減速加速度が大きくなる場合は、変速段を２速以下にすることが望ましいと考えられる閾値を表す減速加速度基準値γを設定することもできる。その場合、変速許可制御用減速線Ｍｓ、Ｍ１のほかに、シフトダウンの変速を許可するための他の減速線を設定することもできる。
【００４５】
そして、図５に示されるように、変速許可制御用減速線Ｍｓより高速側に、シフトダウンの変速を許可する第１の判定領域ＡＲ１が、変速許可制御用減速線Ｍｓ、Ｍ１間に、現在位置検出部１５における現在位置の検出誤差を前提にしてシフトダウンの変速を許可する第２の判定領域ＡＲ２が、ホールド制御用減速線Ｍｈと変速許可制御用減速線Ｍ１との間にシフトアップの変速を禁止する第３の判定領域ＡＲ３が設定される。
【００４６】
本実施の形態においては、現在位置検出部１５における現在位置の検出誤差が生じても、車両がノードＮｄi より調整部分ｍｃの距離分だけ手前に到達したときに、現在の車速Ｖnow が第１〜第３の判定領域ＡＲ１〜ＡＲ３のいずれに属するかを判定することが可能になるので、コーナ制御が開始されるのが遅れることはない。
【００４７】
続いて、ＣＰＵ３１は、現在位置に対応する第１の設定値としてのホールド制御用減速線Ｍｈの値Ｖｈ、現在位置に対応する第２の設定値としての変速許可制御用減速線Ｍ１の値Ｖ１、及び現在位置に対応する第３の設定値としての変速許可制御用減速線Ｍｓの値Ｖｓを算出するとともに、現在の車速Ｖnow を読み込み、該車速Ｖnow と前記値Ｖｈ、Ｖ１、Ｖｓとを比較する。
【００４８】
そして、車速Ｖnow が、値Ｖｈ以上であり、かつ、値Ｖ１より低く、第３の判定領域ＡＲ３に属する場合、ＣＰＵ３１の推奨値算出手段１０２は、変速段の推奨値として、現在の変速段（以下「実変速段」という。）と同じ変速段を算出し、コーナ制御用の制御推奨フラグＡを設定（オンに）する。このとき、該制御推奨フラグＡが設定されることによって、自動変速機制御装置１２に対してホールド制御が行われることが推奨される。なお、ホールド制御が行われると、シフトアップの変速が行われるのが禁止されるので、ハンチングが発生するのを防止することができる。例えば、一旦（いったん）シフトダウンの変速が行われて３速になった後に４速になるのが防止される。
【００４９】
また、前記車速Ｖnow が、値Ｖ１以上であり、かつ、値Ｖｓより低く、第２の判定領域ＡＲ２に属する場合、前記推奨値算出手段１０２は、変速段の推奨値として、例えば、３速を算出し、コーナ制御用の制御推奨フラグＢを設定する。このとき、該制御推奨フラグＢが設定されることによって、自動変速機制御装置１２に対して、第１の制御開始条件が成立したときに、実変速段より低い変速段へのシフトダウンの変速が行われることが推奨される。
【００５０】
さらに、前記車速Ｖnow が、値Ｖｓ以上であって第１の判定領域ＡＲ１に属する場合、前記推奨値算出手段１０２は、変速段の推奨値として、例えば、３速を算出し、コーナ制御用の制御推奨フラグＣを設定する。このとき、該制御推奨フラグＣが設定されることによって、自動変速機制御装置１２に対して、第２の制御開始条件が成立したときに、実変速段より低い変速段へのシフトダウンの変速が行われることが推奨される。
【００５１】
そして、すべてのノードＮｄi について推奨値の算出、及び制御推奨フラグＡ〜Ｃの設定が終了して制御終了条件が成立すると、前記制御推奨フラグＡ〜Ｃに基づいて制御内容が設定され、制御推奨フラグＡ〜Ｃは自動変速機制御装置１２に送信される。
次に、交差点制御判定処理において推奨される変速段又は推奨される動作が推奨値として判定され、判定結果に基づいて交差点制御用の制御推奨フラグＤが設定される。そして、該制御推奨フラグＤは自動変速機制御装置１２に送信される。
【００５２】
続いて、該自動変速機制御装置１２の制御手段２０３としての図示されない上限変速段決定手段は、前記制御推奨フラグＡ〜Ｃの判定処理を行い、各制御推奨フラグＡ〜Ｃがどのように設定されているかを判定し、各制御推奨フラグＡ〜Ｃの設定の組合せに対応させてあらかじめ設定された制御開始条件をＲＯＭ４６から読み出し、コーナ制御の制御開始条件が成立しているかどうかを判断する。
【００５３】
そして、前記上限変速段決定手段は、前記制御開始条件が成立している場合、上限の変速段を決定するための値ＳS に３をセットし、前記制御開始条件が成立していない場合、前記値ＳS に４をセットする。
このようにして、値ＳS がセットされると、前記上限変速段決定手段は、前記値ＳS を上限の変速段として決定する。そして、該上限の変速段と、ナビゲーション装置１４を備えない通常の車両制御装置において行われる基本自動変速機制御判断によって決定された上限の変速段とが比較され、両上限の変速段のうち、いずれか低い方の上限の変速段が出力される。
【００５４】
その結果、自動変速機制御装置１２は、出力された上限の変速段で変速処理を行い、車両を走行させる。
ところで、前記第２の判定領域ＡＲ２は、現在位置検出部１５による現在位置の検出誤差を考慮して設定されたものであるので、車速Ｖnow が第２の判定領域ＡＲ２に属していると判定されても、必ずしもシフトダウンの変速が必要であるとは限らない。そこで、車速Ｖnow が第２の判定領域ＡＲ２に属していると判定された場合は、第１の判定領域ＡＲ１に属していると判定された場合より前記制御開始条件が厳しくされる。
【００５５】
例えば、車速Ｖnow が第１の判定領域ＡＲ１に属していると判定された場合は、踏み込まれていないブレーキペダルが踏み込まれてブレーキオフ→オンになると、制御開始条件が成立したと判断されるのに対して、車速Ｖnow が第２の判定領域ＡＲ２に属していると判定された場合は、ブレーキオフ→オンになり、かつ、車両の減速度が設定値より大きいときに制御開始条件が成立したと判断される。したがって、運転者が確実に車両を減速させようとしているときにシフトダウンの変速が許可される。
【００５６】
なお、前記減速度は、負の加速度であり、前記車速Ｖnow を微分することによって算出される。そして、前記ブレーキオフ→オンは、ブレーキペダルが踏み込まれ、ブレーキセンサ４３がオンになっている状態をいう。
また、自動変速機制御装置１２は、制御推奨フラグＤを受信すると、該制御推奨フラグＤに基づいてあらかじめ設定された交差点制御を行う。例えば、通常の判定領域に右左折案内交差点が存在する場合、判定領域が右左折案内交差点までに変更される。
【００５７】
このように、現在位置検出部１５によって検出された現在位置に検出誤差が生じ、検出された現在位置と実際の現在位置とが異なっても、第１の判定領域ＡＲ１を拡張して設定された第２の判定領域ＡＲ２が形成されるので、現在の車速Ｖnow が第１、第２の判定領域ＡＲ１、ＡＲ２のいずれに属するかを判定することが可能になる。
【００５８】
したがって、実際の道路状況に対応させて走行制御を行うことができる。
ところで、自動変速機制御装置１２の制御終了条件判断手段１１１は、車両がコーナから設定距離離れたこと、基本の変速マップを参照することによって３速の変速段が決定されたこと、加速度が設定値を超えたこと、コーナ制御が開始された後、設定距離（ガード距離）以上走行してもコーナ制御が終了されないこと等の、車両がコーナ制御を必要とする状態にないことを表す各条件、すなわち、制御終了条件のうち少なくとも一つが満たされたかどうかを判断し、制御終了条件のうち少なくとも一つが満たされた場合、自動変速機制御装置１２の制御終了手段１１２はコーナ制御を終了する。なお、車両がコーナから設定距離離れたかどうかは、車両が、最後のノードＮｄi を通過した後の走行距離に基づいて判断される。また、加速度は車速Ｖを微分することによって算出される。
【００５９】
そして、コーナ制御の制御終了条件が成立するまでの間に、例えば、コーナ内に障害物があると、運転者は障害物を回避しようとして車両を減速させるが、その後、最適な変速段を選択することができないと、運転者に違和感を与えてしまう。
そこで、前記自動変速機制御装置１２の制御解除条件判断手段１１３は、コーナ制御が行われている間に制御解除条件が成立したかどうかを判断し、制御解除条件が成立すると、前記制御終了条件が成立していない場合でも、自動変速機制御装置１２の制御解除手段１１４はコーナ制御を解除し、終了する。なお、本実施の形態においては、前記制御解除条件として、踏み込まれているアクセルペダルが戻されてアクセルオン→オフになったこと、アクセルペダルが設定値以上の加速度で戻されたこと、運転者がオーバドライブスイッチをオフにしたこと、すなわち、手動変速が発生したこと、運転者がパワー走行モード、雪道走行モード、手動変速モード等を選択するためのモード選択スイッチをオンにしたこと、運転者がコーナの形状に対応させて設定された角度、すなわち、設定角度以上にステアリングホイールを大きく回転させたこと等の運転動作が認識されたことを表す条件が採用される。
このようにして、コーナ制御が終了されると、自動変速機制御装置１２は、基本の変速マップを参照することによってスロットル開度、車速Ｖ等の走行条件に基づいて変速段を決定し、自動変速機１０は決定された変速段で変速を行う。
【００６０】
このように、運転者が通常のコーナ制御が行われているときの行為と異なる行為を取ったときに、コーナ制御を解除し、終了することができるので、最適な変速段を選択することができる。したがって、運転者に違和感を与えることがない。
次に、前記ナビゲーション装置１４の動作を示すフローチャートについて説明する。
【００６１】
図６は本発明の実施の形態におけるナビゲーション装置の動作を示すメインフローチャートである。
ステップＳ１  現在位置を読み込み、該現在位置より前方の位置の道路データを入力する。
ステップＳ２  制御実施条件が成立したかどうかを判断する。制御実施条件が成立した場合はステップＳ３に進み、成立していない場合はリターンする。
ステップＳ３  コーナ制御判定処理を行う。
ステップＳ４  交差点制御判定処理を行う。
ステップＳ５  制御推奨フラグＡ〜Ｄを自動変速機制御装置１２（図３）に送信する。
【００６２】
次に、図６のステップＳ３におけるコーナ制御判定処理のサブルーチンについて説明する。
図７は本発明の実施の形態におけるコーナ制御判定処理のサブルーチンを示すフローチャートである。
ステップＳ３−１  道路形状判断処理を行う。
ステップＳ３−２  推奨変速段決定処理を行う。
ステップＳ３−３  制御内容を設定する。
【００６３】
次に、図７のステップＳ３−１における道路形状判断処理のサブルーチンについて説明する。
図８は本発明の実施の形態における道路形状判断処理のサブルーチンを示すフローチャートである。
ステップＳ３−１−１  制御リストを作成する。
ステップＳ３−１−２  コーナ制御を必要とするコーナが有ると判定する。
【００６４】
次に、図７のステップＳ３−２における推奨変速段決定処理のサブルーチンについて説明する。
図９は本発明の実施の形態における推奨変速段決定処理のサブルーチンを示すフローチャートである。
ステップＳ３−２−１  減速線を変更する。
ステップＳ３−２−２  推奨値算出処理を行う。
ステップＳ３−２−３  制御終了条件が成立したかどうかを判断する。制御終了条件が成立した場合はリターンし、成立していない場合はステップＳ３−２−２に戻る。
【００６５】
次に、図６のステップＳ４における交差点制御判定処理のサブルーチンについて説明する。
図１０は本発明の実施の形態における交差点制御判定処理のサブルーチンを示すフローチャートである。
ステップＳ４−１  周辺の道路状況を判断し、道路属性、複数の交差点間の位置関係等をチェックする。
ステップＳ４−２  推奨動作を判定する。
ステップＳ４−３  制御内容を設定する。
【００６６】
次に、図９のステップＳ３−２−２における推奨値算出処理のサブルーチンについて説明する。
図１１は本発明の実施の形態における推奨値算出処理のサブルーチンを示すフローチャートである。
ステップＳ３−２−２−１  現在位置から各ノードまでの区間距離Ｌを算出する。
ステップＳ３−２−２−２  値Ｖｈ（図５）、Ｖ１、Ｖｓを算出する。
ステップＳ３−２−２−３  現在の車速Ｖnow を読み込む。
ステップＳ３−２−２−４  該車速Ｖnow が前記値Ｖｈ以上であるかどうかを判断する。車速Ｖnow が値Ｖｈ以上である場合はステップＳ３−２−２−５に、車速Ｖnow が値Ｖｈより低い場合はリターンする。
ステップＳ３−２−２−５  前記車速Ｖnow が前記値Ｖ１以上であるかどうかを判断する。車速Ｖnow が値Ｖ１以上である場合はステップＳ３−２−２−７に、車速Ｖnow が値Ｖ１より低い場合はステップＳ３−２−２−６に進む。
ステップＳ３−２−２−６  制御推奨フラグＡを設定する。
ステップＳ３−２−２−７  前記車速Ｖnow が前記値Ｖｓ以上であるかどうかを判断する。車速Ｖnow が値Ｖｓ以上である場合はステップＳ３−２−２−９に、車速Ｖnow が値Ｖｓより低い場合はステップＳ３−２−２−８に進む。
ステップＳ３−２−２−８  制御推奨フラグＢを設定する。
ステップＳ３−２−２−９  制御推奨フラグＣを設定する。
【００６７】
次に、自動変速機制御装置１２（図３）の動作を示すフローチャートについて説明する。
図１２は本発明の実施の形態における自動変速機制御装置の動作を示すメインフローチャートである。
ステップＳ１１  アクセルセンサ４２（図３）の検出信号、ブレーキセンサ４３の検出信号、車速センサ４４によって検出された車速Ｖ、スロットル開度センサ４５によって検出されたスロットル開度等の車両情報を読み込む。
ステップＳ１２  基本自動変速機制御判断処理を行う。
ステップＳ１３  協調制御条件が成立したかどうかを判断する。協調制御条件が成立した場合はステップＳ１４に、成立していない場合はステップＳ１６に進む。この場合、協調制御条件が成立したかどうかは、車両がコーナ制御を行うのに適した状態にあるかどうかによって判断する。例えば、水温、油温、各種のセンサの検出信号等が正常な範囲内にあること、ナビゲーション装置１４との間において通信が正常に行われていること、ナビゲーション装置１４から受信したデータが正常であること等が協調制御条件として採用される。また、オーバードライブ走行を選択するためのオーバードライブスイッチがオンになっていること、雪道走行用の変速パターンを選択するためのセレクトスイッチがオンになっていること等を協調制御条件として採用することもできる。
ステップＳ１４  ナビゲーション装置１４から制御推奨フラグＡ〜Ｃを受信する。
ステップＳ１５  協調制御判断処理を行う。
ステップＳ１６  基本自動変速機制御判断処理において基本の変速マップを参照することによって決定された変速段と、協調制御判断処理において決定された上限の変速段とを比較し、低い方の変速段を選択する。
ステップＳ１７  選択された変速段を出力する。
【００６８】
次に、図１２のステップＳ１５における協調制御判断処理のサブルーチンについて説明する。
図１３は本発明の実施の形態における協調制御判断処理のサブルーチンを示すフローチャートである。
ステップＳ１５−１  ナビゲーション装置１４（図３）から受信した制御推奨フラグＡ〜Ｃのうち少なくとも一つが設定されているかどうかを判断する。少なくとも一つの制御推奨フラグＡ〜Ｃが設定されている場合はステップＳ１５−２に、設定されていない場合はステップＳ１５−３に進む。
ステップＳ１５−２  上限変速段決定処理を行う。
ステップＳ１５−３  協調制御実施中であるかどうかを判断する。協調制御実施中である場合はステップＳ１５−４に進み、協調制御実施中でない場合はリターンする。なお、協調制御実施中であるかどうかは、コーナ制御において推奨値が算出され、算出された推奨値に従った変速段で車両が走行させられているかどうかによって判断する。
ステップＳ１５−４  解除制御判断処理を行う。
【００６９】
次に、図１３のステップＳ１５−２における上限変速段決定処理のサブルーチンについて説明する。
図１４は本発明の実施の形態における上限変速段決定処理のサブルーチンを示すフローチャートである。
ステップＳ１５−２−１  制御推奨フラグ判定処理を行い、ナビゲーション装置１４（図３）から受信した制御推奨フラグＡ、Ｂの設定の組合せを判定する。
ステップＳ１５−２−２  制御推奨フラグＡ、Ｂの設定の組合せに対応させてあらかじめ設定された制御開始条件が成立しているかどうかを判断する。制御開始条件が成立している場合はステップＳ１５−２−４に、成立していない場合はステップＳ１５−２−３に進む。
ステップＳ１５−２−３  値ＳS に４をセットする。
ステップＳ１５−２−４  値ＳS に３をセットする。
ステップＳ１５−２−５  上限の変速段を決定する。
【００７０】
次に、図１３のステップＳ１５−４における解除制御判断処理のサブルーチンについて説明する。
図１５は本発明の実施の形態における解除制御判断処理のサブルーチンを示すフローチャートである。
ステップＳ１５−４−１  コーナから設定距離離れたかどうかを判断する。コーナから設定距離離れた場合はステップＳ１５−４−９に、離れていない場合はステップＳ１５−４−２に進む。
ステップＳ１５−４−２  ３速の変速段が決定されたかどうかを判断する。３速の変速段が決定された場合はステップＳ１５−４−９に、決定されていない場合はステップＳ１５−４−３に進む。
ステップＳ１５−４−３  加速度が設定値を超えたかどうかを判断する。加速度が設定値を超えた場合はステップＳ１５−４−９に、超えていない場合はステップＳ１５−４−４に進む。
ステップＳ１５−４−４  設定距離走行したかどうかを判断する。設定距離走行した場合はステップＳ１５−４−９に、走行していない場合はステップＳ１５−４−５に進む。
ステップＳ１５−４−５  アクセルオン→オフになったかどうかを判断する。アクセルオン→オフになった場合はステップＳ１５−４−９に、なっていない場合はステップＳ１５−４−６に進む。
ステップＳ１５−４−６  オーバドライブスイッチをオフにしたかどうかを判断する。オーバドライブスイッチをオフにした場合はステップＳ１５−４−９に、オフにしていない場合はステップＳ１５−４−７に進む。
ステップＳ１５−４−７  モード選択スイッチをオンにしたかどうかを判断する。モード選択スイッチをオンにした場合はステップＳ１５−４−９に、オンにしていない場合はステップＳ１５−４−８に進む。
ステップＳ１５−４−８  ステアリングホイールを大きく回転させたかどうかを判断する。ステアリングホイールを大きく回転させた場合はステップＳ１５−４−９に進み、大きく回転させていない場合はリターンする。
ステップＳ１５−４−９  コーナ制御を終了する。
【００７１】
ところで、前記実施の形態においては、制御解除条件の一つとして、運転者が設定角度以上にステアリングホイールを大きく回転させたことが採用されるようになっている。
ところが、一般の操舵装置においては、車両の走行安定性を考慮して、車速が高くなるほどステアリングホイールを回転させるために必要な力が大きくなるように設定されている。したがって、前記設定角度を一律に設定すると、車速が高くなるほどコーナ制御を解除するのが困難になり、運転者に違和感を与えてしまう。
【００７２】
そこで、車速に対応させて前記設定角度を変更することができるようにした本発明の他の実施の形態について説明する。
図１６は本発明の他の実施の形態における解除制御判断処理のサブルーチンを示すフローチャート、図１７は本発明の他の実施の形態における設定角度マップを示す図である。なお、図１７において、横軸に車速を、縦軸に設定角度を採ってある。
【００７３】
この場合、図１７に示されるように、車速が高くなるほど設定角度は小さくされる。したがって、車速が低い場合には、運転者がステアリングホイールを比較的大きく回転させないとコーナ制御が解除されないが、車速が高い場合には、運転者がステアリングホイールを比較的小さく回転させたときでもコーナ制御が解除される。その結果、運転者に違和感を与えることがない。
ステップＳ１５−４−１１  コーナから設定距離離れたかどうかを判断する。コーナから設定距離離れた場合はステップＳ１５−４−１９に、離れていない場合はステップＳ１５−４−１２に進む。
ステップＳ１５−４−１２  ３速の変速段が決定されたかどうかを判断する。３速の変速段が決定された場合はステップＳ１５−４−１９に、決定されていない場合はステップＳ１５−４−１３に進む。
ステップＳ１５−４−１３  加速度が設定値を超えたかどうかを判断する。加速度が設定値を超えた場合はステップＳ１５−４−１９に、超えていない場合はステップＳ１５−４−１４に進む。
ステップＳ１５−４−１４  設定距離走行したかどうかを判断する。設定距離走行した場合はステップＳ１５−４−１９に、走行していない場合はステップＳ１５−４−１５に進む。
ステップＳ１５−４−１５  アクセルオン→オフになったかどうかを判断する。アクセルオン→オフになった場合はステップＳ１５−４−１９に、なっていない場合はステップＳ１５−４−１６に進む。
ステップＳ１５−４−１６  オーバドライブスイッチをオフにしたかどうかを判断する。オーバドライブスイッチをオフにした場合はステップＳ１５−４−１９に、オフにしていない場合はステップＳ１５−４−１７に進む。
ステップＳ１５−４−１７  モード選択スイッチをオンにしたかどうかを判断する。モード選択スイッチをオンにした場合はステップＳ１５−４−１９に、オンにしていない場合はステップＳ１５−４−１８に進む。
ステップＳ１５−４−１８  ステアリングホイールを設定角度以上に回転させたかどうかを判断する。ステアリングホイールを設定角度以上に回転させた場合はステップＳ１５−４−１９に進み、設定角度以上に回転させていない場合はリターンする。
ステップＳ１５−４−１９  コーナ制御を終了する。
【００７４】
前記各実施の形態においては、車両各部の制御として、自動変速機における走行制御について説明しているが、車両各部の制御として、内燃エンジン１１等の原動機の制御、ステアリング制御、ステアリングアシスト制御、ブレーキ制御、ブレーキアシスト制御、サスペンション（ダンパ減衰力等）制御、４ＷＤにおける駆動力分配制御等に適用することもできる。
【００７５】
この場合、ＣＰＵ３１（図３）は、所定のノードに到達するまでの車両各部の制御を許可するための減速線を設定し、推奨値算出手段１０２は、車速及び減速線によって与えられる設定値に基づいて車両各部の制御の推奨値を算出する。そして、制御手段２０３は、推奨値に基づいて車両各部の制御を行う。また、前記推奨値としては、例えば、推奨アクセル開度、推奨ブレーキアシスト力、推奨ダンパ減衰力、推奨駆動力分配値等が算出される。
【００７６】
そして、制御終了条件が成立したときに車両各部の制御を終了し、制御解除条件が成立したときに制御終了条件が成立したかどうかにかかわらず車両各部の制御を解除する。
なお、本発明は前記実施の形態に限定されるものではなく、本発明の趣旨に基づいて種々変形させることが可能であり、それらを本発明の範囲から排除するものではない。
【００７７】
【発明の効果】
以上詳細に説明したように、本発明によれば、車両制御装置においては、あらかじめ記録された道路状況及び車両の現在位置に基づいて、コーナに対して車両を減速させるコーナ制御を開始するための制御開始条件が成立したかどうかを判断する制御開始条件判断手段と、前記制御開始条件が成立した場合に前記コーナ制御を開始する制御開始手段と、道路データ及び現在位置によって決定され、コーナに対して車両を減速させる必要があるかどうかを表す状態に基づいて、前記コーナ制御を終了するための制御終了条件が成立したかどうかを判断する制御終了条件判断手段と、前記制御終了条件が成立した場合に前記コーナ制御を終了する制御終了手段と、前記コーナ制御が行われている間に、運転者による操作に基づいて運転者がコーナ制御を必要としていないと判断された場合、前記制御終了条件判断手段による判断結果にかかわらず、コーナ制御を解除するための制御解除条件が成立したかどうかを判断する制御解除条件判断手段とを有する。
そして、前記制御終了条件は、基本の変速マップを参照することによって３速の変速段が決定されたこと、及びコーナ制御が開始された後、設定距離以上走行してもコーナ制御が終了されないことの、車両がコーナ制御を必要とする状態にないことを表す各条件のうちの少なくとも一つである。
また、前記制御解除条件判断手段は、運転者がオーバドライブスイッチをオフにして手動変速が発生したことの運転動作が認識されたことを表す条件が成立したかどうかを判断する手段、及び運転者がパワー走行モード、雪道走行モード、手動変速モード等を選択するためのモード選択スイッチをオンにしたことの運転動作が認識されたことを表す条件が成立したかどうかを判断する手段を備えるとともに、前記運転者がオーバドライブスイッチをオフにして手動変速が発生したことの運転動作が認識されたことを表す条件、及び運転者がパワー走行モード、雪道走行モード、手動変速モード等を選択するためのモード選択スイッチをオンにしたことの運転動作が認識されたことを表す条件のうちの少なくとも一つが成立したときに前記制御解除条件が成立したと判断する。
【００７８】
この場合、道路状況及び現在位置に基づいて、コーナに対して車両を減速させるコーナ制御が行われる。そして、制御解除条件が成立すると、制御終了条件が成立したかどうかにかかわらず、コーナ制御が解除される。
したがって、運転者に違和感を与えることがない。
【図面の簡単な説明】
【図１】本発明の実施の形態における車両制御装置の機能ブロック図である。
【図２】従来の車両制御装置におけるコーナ制御の説明図である。
【図３】本発明の実施の形態における車両制御装置の概略図である。
【図４】本発明の実施の形態における推奨車速マップを示す図である。
【図５】本発明の実施の形態における減速線マップを示す図である。
【図６】本発明の実施の形態におけるナビゲーション装置の動作を示すメインフローチャートである。
【図７】本発明の実施の形態におけるコーナ制御判定処理のサブルーチンを示すフローチャートである。
【図８】本発明の実施の形態における道路形状判断処理のサブルーチンを示すフローチャートである。
【図９】本発明の実施の形態における推奨変速段決定処理のサブルーチンを示すフローチャートである。
【図１０】本発明の実施の形態における交差点制御判定処理のサブルーチンを示すフローチャートである。
【図１１】本発明の実施の形態における推奨値算出処理のサブルーチンを示すフローチャートである。
【図１２】本発明の実施の形態における自動変速機制御装置の動作を示すメインフローチャートである。
【図１３】本発明の実施の形態における協調制御判断処理のサブルーチンを示すフローチャートである。
【図１４】本発明の実施の形態における上限変速段決定処理のサブルーチンを示すフローチャートである。
【図１５】本発明の実施の形態における解除制御判断処理のサブルーチンを示すフローチャートである。
【図１６】本発明の他の実施の形態における解除制御判断処理のサブルーチンを示すフローチャートである。
【図１７】本発明の他の実施の形態における設定角度マップを示す図である。
【符号の説明】
３３、４６    ＲＯＭ
１００    道路状況検出手段
１０２    推奨値算出手段
１１１    制御終了条件判断手段
１１２    制御終了手段
１１３    制御解除条件判断手段
１１４    制御解除手段
２０３    制御手段
【図１】
0003970423.tif 000002
【図２】
0003970423.tif 000003
【図３】
0003970423.tif 000004
【図４】
0003970423.tif 000005
【図５】
0003970423.tif 000006
【図６】
0003970423.tif 000007
【図７】
0003970423.tif 000008
【図８】
0003970423.tif 000009
【図９】
0003970423.tif 000010
【図１０】
0003970423.tif 000011
【図１１】
0003970423.tif 000012
【図１２】
0003970423.tif 000013
【図１３】
0003970423.tif 000014
【図１４】
0003970423.tif 000015
【図１５】
0003970423.tif 000016
【図１６】
0003970423.tif 000017
【図１７】
0003970423.tif 000018